(57)【要約】【課題】  たとえば洗濯機やシステムバスルームに隣接して配置される場合に、配管スペースを共有化して水道工事の集約化および簡素化を図ることのできる洗面化粧台。【解決手段】  洗面ボール（１）が設けられたカウンター部（２）と、カウンター部の一方の側において洗濯機（１０）に隣接配置されたサイドキャビネット（３）とを備えている。サイドキャビネットは、カウンター部への給水配管および洗濯機への給水配管を収容している。また、サイドキャビネットは、カウンター部の上方に設けられた上部キャビネット（４）と、カウンター部の下方に設けられた下部キャビネット（５）とを有し、洗面ボールの一部は下部キャビネットの上方まで達し、下部キャビネットはカウンター部からの排水配管も収容している。【選択図】  図７
2005081027.tif 000002
【特許請求の範囲】
【請求項１】
洗面ボールが設けられたカウンター部と、
前記カウンター部の一方の側において所定の設備に隣接配置されたサイドキャビネットとを備え、
前記サイドキャビネットは、前記カウンター部への給水配管および前記所定の設備への給水配管を収容していることを特徴とする洗面化粧台。
【請求項２】
前記所定の設備は、洗濯機またはシステムバスルームであることを特徴とする請求項１に記載の洗面化粧台。
【請求項３】
前記サイドキャビネットは、前記カウンター部の上方に設けられた上部キャビネットと、前記カウンター部の下方に設けられた下部キャビネットとを有し、
前記洗面ボールの一部は前記下部キャビネットの上方まで達し、前記下部キャビネットは前記給水配管に加えて前記カウンター部からの排水配管を収容していることを特徴とする請求項１または２に記載の洗面化粧台。
【請求項４】
前記サイドキャビネットは、前記カウンター部側および前記所定の設備側の双方からアクセス可能に構成されていることを特徴とする請求項１乃至３のいずれか１項に記載の洗面化粧台。
【発明の詳細な説明】
【技術分野】
【０００１】
本発明は、洗面化粧台に関し、特にサイドキャビネット形式の洗面化粧台に関するものである。
【背景技術】
【０００２】
従来、洗面ボールの後方に収納キャビネットが配置される通常タイプの洗面化粧台では、洗面ボール下方のベースキャビネットの奥側に給排水の配管類が集約される。
【発明の開示】
【発明が解決しようとする課題】
【０００３】
上述のように、従来の通常タイプの洗面化粧台ではベースキャビネットの奥側に給排水の配管類が集約されるので、たとえば洗濯機やシステムバスルームのような設備に隣接して洗面化粧台が配置される場合、洗面化粧台に関する配管スペースと隣接設備に関する配管スペースとは互いに独立し、水道工事の簡素化を図ることができないという不都合があった。
【０００４】
本発明は、前述の課題に鑑みてなされたものであり、たとえば洗濯機やシステムバスルームに隣接して配置される場合に、配管スペースを共有化して水道工事の集約化および簡素化を図ることのできる構造を有する洗面化粧台を提供することを目的とする。
【課題を解決するための手段】
【０００５】
前記課題を解決するために、本発明では、洗面ボールが設けられたカウンター部と、
前記カウンター部の一方の側において所定の設備に隣接配置されたサイドキャビネットとを備え、
前記サイドキャビネットは、前記カウンター部への給水配管および前記所定の設備への給水配管を収容していることを特徴とする洗面化粧台を提供する。
【０００６】
本発明の好ましい態様によれば、前記所定の設備は、洗濯機またはシステムバスルームである。また、前記サイドキャビネットは、前記カウンター部の上方に設けられた上部キャビネットと、前記カウンター部の下方に設けられた下部キャビネットとを有し、前記洗面ボールの一部は前記下部キャビネットの上方まで達し、前記下部キャビネットは前記給水配管に加えて前記カウンター部からの排水配管を収容していることが好ましい。また、前記サイドキャビネットは、前記カウンター部側および前記所定の設備側の双方からアクセス可能に構成されていることが好ましい。
【発明の効果】
【０００７】
本発明の洗面化粧台は、洗面ボールが設けられたカウンター部の一方の側にサイドキャビネットを有するサイドキャビネット形式の洗面化粧台であって、このサイドキャビネットが例えば洗濯機やシステムバスルームのような設備に隣接配置されている。そして、サイドキャビネットは、カウンター部への給水配管および洗濯機やシステムバスルームのような隣接設備への給水配管を収容している。
【０００８】
このように、本発明では、カウンター部の洗面ボールに関する配管スペースと洗濯機やシステムバスルームのような隣接設備に関する配管スペースとがサイドキャビネットの内部において共有化されているので、洗面化粧台周りの水道工事の集約化および簡素化を図ることができる。
【０００９】
また、本発明では、サイドキャビネットがカウンター部上方の上部キャビネットとカウンター部下方の下部キャビネットとを有し、洗面ボールの一部が下部キャビネットの上方まで達し、下部キャビネットがカウンター部からの排水配管を収容する構成を採用することにより、カウンター部の下方スペースにおいて排水配管周りのデッドスペースが発生することなくカウンター部の下方スペースの収納性を向上させることができる。さらに、所要のサイズ（容積、開口寸法など）を有する洗面ボールを確保しつつ比較的狭い間口を有する空間に設置可能な洗面化粧台を実現することができる。
【００１０】
また、本発明では、サイドキャビネットをカウンター部側および隣接設備側の双方からアクセス可能に構成することにより、洗面化粧台のための収納スペースと隣接設備のための収納スペースとをサイドキャビネットの内部にアクセス容易に確保することができ、ひいては洗面化粧台での作業性および隣接設備での作業性を向上させることができる。
【発明を実施するための最良の形態】
【００１１】
本発明の実施形態を、添付図面に基づいて説明する。
図１は、本発明の実施形態にかかる洗面化粧台の基本的な構成を模式的に示す斜視図である。また、図２は、本実施形態の洗面化粧台の具体的な構成を概略的に示す図であって、（ａ）は上面図を、（ｂ）は正面図をそれぞれ示している。また、図３は、洗面ボールが設けられたカウンター部の構成を概略的に示す斜視図である。また、図４は、洗面ボールの内部に配設されたトレーの構成を概略的に示す図である。
【００１２】
また、図５は、上部キャビネットの具体的な構成を概略的に示す図であって、（ｂ）は正面図を、（ａ）は（ｂ）の線Ａ−Ａに沿った断面図をそれぞれ示している。また、図６は、図５（ｂ）の線Ｂ−Ｂに沿った上部キャビネットの断面図である。また、図７は、本実施形態の洗面化粧台が洗濯機に隣接して配置された構成を概略的に示す図である。また、図８は、本実施形態の洗面化粧台がシステムバスルームに隣接して配置された構成を概略的に示す図である。
【００１３】
図１および図２を参照すると、本実施形態の洗面化粧台は、洗面ボール１が設けられたカウンター部２と、カウンター部２の右側（洗面化粧台に正対して右側）に配置されたサイドキャビネット３とを備えている。サイドキャビネット３は、カウンター部２の上方に設けられた上部キャビネット４と、カウンター部２の下方に設けられた下部キャビネット５と、上部キャビネット４および下部キャビネット５の前側において三角形状の断面を有し且つその上下方向のほぼ全体に亘って延びるトールキャビネット６（図１では不図示）とにより構成されている。
【００１４】
本実施形態の洗面化粧台では、カウンター部２がサイドキャビネット３を貫通して（すなわち上部キャビネット４と下部キャビネット５との間に潜り込んで）洗面化粧台の幅方向のほぼ全体に亘って延び、カウンター部２の下方にはオープンスペースが形成されている。また、図２（ｂ）において明瞭に示されているように、洗面ボール１の一部は下部キャビネット５の上方まで達し、下部キャビネット５はカウンター部２への給水配管（不図示）およびカウンター部２からの排水配管（不図示）を収容している。
【００１５】
図２および図３を参照すると、カウンター部２には、洗面ボール１の後方のバックガード２ａと、洗面ボール１に水（または温水）を供給するための供給口を備えた水栓本体２ｂと、水栓本体２ｂからの水（または温水）の供給を制御するための水栓ハンドル２ｃとが設けられている。ただし、図３では、図面の明瞭化のために、水栓本体２ｂのための貫通孔２ｄおよび水栓ハンドル２ｃのための貫通孔２ｅだけを示し、水栓本体２ｂおよび水栓ハンドル２ｃの図示を省略している。
【００１６】
また、図２（ａ）に示すように、トールキャビネット６の前面６ａ（すなわちサイドキャビネット３の前面）には片開きの扉６ｂが取り付けられ、扉６ｂの前面にはトールキャビネット６の上下方向のほぼ全体に亘って延びるトールミラー７が取り付けられている。なお、扉６ｂの前面（すなわちサイドキャビネット３の前面）はカウンター部２の左側（洗面化粧台に正対して左側）に向かって斜めに形成され、扉６ｂは右側に設けられた回転軸を中心としてカウンター部２の左側に向かって開口するように構成されている。ここで、トールキャビネット６の前面６ａはカウンター部２の幅方向に対して約４５度の角度をなすように設定され、カウンター部２の幅方向に沿ったトールキャビネット６の幅寸法（すなわちサイドキャビネット３の幅寸法）は約１５０ｍｍに設定されている。
【００１７】
さらに、図３に示すように、洗面ボール１の右側壁部には、水平方向に間隔を隔てて並んだ複数のオーバーフロー開口部２ｆが形成されている。また、洗面ボール１の右側の最深部には、図４に示すトレー８を設置するための一対のトレー台２ｇが設けられている。また、カウンター部２の前方の段差領域２ｈには幕板が取り付けられるか、あるいは幕板を取り付けない場合にはカウンター部２はこの段差無しで成形される。図３では、図面の明瞭化のために、一対のトレー台２ｇのうち、奥側のトレー台だけを示し、手前側のトレー台の図示を省略している。ちなみに、トレー８上には、洗面ボール１で使用するための石鹸やハンドソープなどが置かれる。
【００１８】
図５および図６を参照すると、上部キャビネット４の右側には蛍光灯設置スペース４ａが設けられ、蛍光灯設置スペース４ａの前方は蛍光灯カバー４ｂによって覆われ、蛍光灯カバー４ｂの下方には蛍光灯スイッチ４ｃなどが設けられている。また、上部キャビネット４の中段にはタオル掛け４ｄが水平方向に延びており、上部キャビネット４の中段から下端にかけて未使用のタオルを保管するためのタオルストックバー４ｅが鉛直方向に延びている。
【００１９】
さらに、上部キャビネット４の下端には水平方向に延びる回転トレー４ｆが設けられ、回転トレー４ｆの左側前方には回転軸４ｇが設けられている。こうして、回転トレー４ｆは、左側の回転軸４ｇを中心として回転しながら右側部分から先に前方へ突出するように構成されている。また、回転トレー４ｆの前面の下端近傍には、回転トレー４ｆの内部から外部へ水を導出するための水切り開口部４ｈが水平方向に細長く延びるように形成されている。回転トレー４ｆの内部には、コップや歯ブラシなどが置かれる。
【００２０】
図７を参照すると、本実施形態の洗面化粧台Ｓが、洗濯機１０に隣接して配置されている。そして、洗面化粧台Ｓの下部キャビネット５が、カウンター部２に対する給水配管および排水配管だけでなく、洗濯機１０への給水配管（不図示）も収容している。また、洗面化粧台Ｓの上部キャビネット４は、洗面化粧台Ｓのカウンター部２側からだけでなく、洗濯機１０側からもアクセス可能に構成されている。
【００２１】
図８を参照すると、本実施形態の洗面化粧台Ｓが、システムバスルーム１１に隣接して配置されている。そして、洗面化粧台Ｓの下部キャビネット５が、カウンター部２に対する給水配管および排水配管だけでなく、システムバスルーム１１への給水配管（不図示）も収容している。
【００２２】
以上のように、本実施形態の洗面化粧台は、洗面ボール１が設けられたカウンター部２の一方の側にサイドキャビネット３を有するサイドキャビネット形式の洗面化粧台である。そして、サイドキャビネット３が洗濯機１０やシステムバスルーム１１に隣接配置され、サイドキャビネット３の一部を構成する下部キャビネット５がカウンター部２への給水配管および洗濯機１０やシステムバスルーム１１への給水配管を収容している。さらに、床下において、洗濯機１０やシステムバスルーム１１からの排水配管をカウンター部２からの排水配管に合流させることもできる。
【００２３】
このように、本実施形態では、カウンター部２の洗面ボール１に関する配管スペースと洗濯機１０やシステムバスルーム１１に関する配管スペースとが下部キャビネット５の内部（ひいてはサイドキャビネット３の内部）において共有化されているので、洗面化粧台周りの水道工事の集約化および簡素化を図ることができる。すなわち、本実施形態では、たとえば洗濯機やシステムバスルームに隣接して配置される場合に、配管スペースを共有化して水道工事の集約化および簡素化を図ることのできる構造を有する洗面化粧台を実現することができる。
【００２４】
また、本実施形態では、サイドキャビネット３が上部キャビネット４と下部キャビネット５とを有し、洗面ボール１の一部が下部キャビネット５の上方まで達し、下部キャビネット５がカウンター部２からの排水配管を収容している。その結果、カウンター部２の下方スペースにおいて排水配管周りのデッドスペースが発生することなく、カウンター部２の下方スペースの収納性を向上させることができる。さらに、所要のサイズ（容積、開口寸法など）を有する洗面ボール１を確保しつつ、例えば７５０ｍｍ程度の比較的狭い間口を有する空間に設置可能な洗面化粧台を実現することができる。
【００２５】
また、本実施形態では、サイドキャビネット３の一部を構成する上部キャビネット４が、カウンター部２側および洗濯機１０側の双方からアクセス可能に構成されている。その結果、洗面化粧台のための収納スペースと洗濯機１０のための収納スペースとを下部キャビネット５の内部（すなわちサイドキャビネット３の内部）にアクセス容易に確保することができ、ひいては洗面化粧台での作業性および洗濯機１０での作業性を向上させることができる。
【００２６】
一般に、本実施形態のようなサイドキャビネット形式の洗面化粧台では、収納キャビネットがカウンター部の後方ではなく側方に設けられているので、例えば正面に窓が形成されている空間にも設置することが可能である。また、サイドキャビネット形式の洗面化粧台では、洗面ボールのサイズ（容積、開口寸法など）を小さくすることなく、洗面化粧台の奥行き寸法を例えば１５０ｍｍ程度小さく抑えることができる。
【００２７】
なお、上述の実施形態では、洗濯機１０またはシステムバスルーム１１に隣接配置される洗面化粧台に対して本発明を適用している。しかしながら、これに限定されることなく、給水配管の設置が必要な他の適当な設備に隣接配置される洗面化粧台に対しても本発明を適用することができる。
【００２８】
また、上述の実施形態では、サイドキャビネット３がカウンター部２の上方に設けられた上部キャビネット４とカウンター部２の下方に設けられた下部キャビネット５とを有し、洗面ボール１の一部が下部キャビネット５の上方まで達し、下部キャビネット５はカウンター部２からの排水配管を収容している。しかしながら、これに限定されることなく、サイドキャビネット３の具体的な構成、洗面ボール１のレイアウト、および下部キャビネット５の内部スペースの利用形態などについては様々な変形例が可能である。
【００２９】
また、上述の実施形態では、サイドキャビネット３がカウンター部２側および洗濯機１０側の双方からアクセス可能に構成されている。しかしながら、これに限定されることなく、アクセスを含むサイドキャビネット３の具体的な構成については様々な変形例が可能である。
【図面の簡単な説明】
【００３０】
【図１】本発明の実施形態にかかる洗面化粧台の基本的な構成を模式的に示す斜視図である。
【図２】本実施形態の洗面化粧台の具体的な構成を概略的に示す図であって、（ａ）は上面図を、（ｂ）は正面図をそれぞれ示している。
【図３】洗面ボールが設けられたカウンター部の構成を概略的に示す斜視図である。
【図４】洗面ボールの内部に配設されたトレーの構成を概略的に示す図である。
【図５】上部キャビネットの具体的な構成を概略的に示す図であって、（ｂ）は正面図を、（ａ）は（ｂ）の線Ａ−Ａに沿った断面図をそれぞれ示している。
【図６】図５（ｂ）の線Ｂ−Ｂに沿った上部キャビネットの断面図である。
【図７】本実施形態の洗面化粧台が洗濯機に隣接して配置された構成を概略的に示す図である。
【図８】本実施形態の洗面化粧台がシステムバスルームに隣接して配置された構成を概略的に示す図である。
【符号の説明】
【００３１】
１  洗面ボール
２  カウンター部
２ａ  バックガード
２ｂ  水栓本体
２ｃ  水栓ハンドル
３  サイドキャビネット
４  上部キャビネット
４ａ  蛍光灯設置スペース
４ｂ  蛍光灯カバー
４ｃ  蛍光灯スイッチ
４ｄ  タオル掛け
４ｅ  タオルストックバー
４ｆ  回転トレー
５  下部キャビネット
６  トールキャビネット
７  トールミラー
８  トレー
Ｓ  洗面化粧台
１０  洗濯機
１１  システムバスルーム
【図１】
2005081027.tif 000003
【図２】
2005081027.tif 000004
【図３】
2005081027.tif 000005
【図４】
2005081027.tif 000006
【図５】
2005081027.tif 000007
【図６】
2005081027.tif 000008
【図７】
2005081027.tif 000009
【図８】
2005081027.tif 000010